(57)【要約】【課題】溶接を用いることなく低コストで施工することのできる柱梁架構の補強構造、施工方法および施工装置を提供する。【解決手段】コンクリート１８を内部に充填した鋼管からなるＣＦＴ柱１２と梁１４による柱梁架構をブレース材１６で補強した構造１０であって、柱梁接合部２０に設けられ、ブレース材１６が取付けられるブラケット材２２と、このブラケット材２２の一部をなし、または、このブラケット材２２と接合し、ＣＦＴ柱１２の梁軸方向Ｘの外側面に配置される鋼板２４と、この鋼板２４とＣＦＴ柱１２を柱軸に直角な方向に貫通する貫通孔２６と、この貫通孔２６に挿通配置され、ＣＦＴ柱１２と鋼板２４を固定する固定部材２８とを備えるようにする。【選択図】図１
2018135640.tif 000002
【特許請求の範囲】
【請求項１】
コンクリートを内部に充填した鋼管からなるＣＦＴ柱と梁による柱梁架構をブレース材で補強した構造であって、
柱梁接合部に設けられ、ブレース材が取付けられるブラケット材と、このブラケット材の一部をなし、または、このブラケット材と接合し、ＣＦＴ柱の梁軸方向の外側面に配置される鋼板と、この鋼板とＣＦＴ柱を柱軸に直角な方向に貫通する貫通孔と、この貫通孔に挿通配置され、ＣＦＴ柱と鋼板を固定する固定部材とを備えることを特徴とする柱梁架構の補強構造。
【請求項２】
固定部材は、導入される緊張力によってＣＦＴ柱と鋼板とを梁軸方向に圧着する緊張材からなることを特徴とする請求項１に記載の柱梁架構の補強構造。
【請求項３】
梁とブラケット材はボルトで接合されることを特徴とする請求項１または２に記載の柱梁架構の補強構造。
【請求項４】
請求項１〜３のいずれか一つに記載の柱梁架構の補強構造を施工する方法であって、
ＣＦＴ柱に固定部材用の貫通孔を形成する際に、ＣＦＴ柱の一方の外側面をなす鋼板を、ＣＦＴ柱の外側から鋼材用ドリルで穿孔するステップと、その後、穿孔した孔からコンクリート用ドリルで内部のコンクリートを柱軸に直角な方向に削孔するステップと、その後、反対側の外側面をなす鋼板を、削孔した孔またはＣＦＴ柱の外側の少なくとも一方から鋼材用ドリルで穿孔するステップとを備えることを特徴とする柱梁架構の補強構造の施工方法。
【請求項５】
反対側の外側面をなす鋼板を穿孔するステップにおいて、コンクリートに削孔された孔の中心位置を案内するための円筒状の中心ガイドが鋼材用ドリルの基部に同軸に取付けられた中心ガイド付きドリルを、コンクリートに削孔した孔に配置するステップと、その後、この中心ガイド付きドリルで反対側の外側面をなす鋼板における孔の中心に対応する位置に小径の孔を穿孔するステップと、その後、ＣＦＴ柱の外側からこの小径の孔を中心に反対側の外側面をなす鋼板を鋼材用ドリルで穿孔するステップを有することを特徴とする請求項４に記載の柱梁架構の補強構造の施工方法。
【請求項６】
請求項４または５に記載の柱梁架構の補強構造の施工方法に用いられる施工装置であって、
コンクリートに削孔された孔の中心位置を案内するための円筒状の中心ガイドが鋼材用ドリルの基部に同軸に取付けられた中心ガイド付きドリルからなることを特徴とする柱梁架構の補強構造の施工装置。
【発明の詳細な説明】
【技術分野】
【０００１】
本発明は、柱梁架構の補強構造、この補強構造を施工するための施工方法および施工装置に関するものである。
【背景技術】
【０００２】
従来、鋼管の内部にコンクリートを充填したＣＦＴ（Ｃｏｎｃｒｅｔｅ  Ｆｉｌｌｅｄ  Ｓｔｅｅｌ  Ｔｕｂｅ）柱が知られている。このＣＦＴ柱とＳ（鉄骨）梁（またはＳＣ（鉄骨コンクリート）梁、ＳＲＣ（鉄骨鉄筋コンクリート）梁）による柱梁架構に、鋼製などのブレースを後付けして耐震補強する場合、ブレース端部をＣＦＴ柱に接合するためには、ＣＦＴ柱の鋼管にブラケット部材を溶接する必要があった。特に、ＣＦＴ柱や鋼管柱の場合、取付け部には内ダイヤフラムは存在しておらず、また、後から取付けることもできないため、外ダイヤフラム形式で溶接する必要があった。溶接作業は火災の原因となるおそれがあるため施工時の現場管理にコストがかかり、大きな負担となっていた。また、外ダイヤフラム形式となるため、施工後に突出部ができて建物の使用性を損なうおそれがあった。
【０００３】
一方、溶接を行うことなく、既設の柱梁接合部に対してブレース材を取付けることのできる補強構造として、例えば特許文献１に示すような構造が知られている。この構造は、角型鋼管を一対の鋼板で挟み込み、各鋼板に設けたボルト挿通孔にボルトを挿通してボルト先端部にナットをねじ付けることによって鋼板を角型鋼板に固定したものである。この固定用のボルトは角型鋼管の外側、または角型鋼管を貫通して配置される。鋼板にはあらかじめガセットプレートが溶接されており、ブレース材を後付けで取付けられるようになっている。
【先行技術文献】
【特許文献】
【０００４】
【特許文献１】特開２０１６−１５３５８２号公報
【発明の概要】
【発明が解決しようとする課題】
【０００５】
しかしながら、上記の従来の特許文献１の補強構造をそのままＣＦＴ柱に適用することは難しい。例えば、ボルトを角型鋼管の外側に配置する場合には、鋼板の縁が構面外に突出するため、建物の使用性を損なうおそれがある。また、角型鋼管にボルトを貫通配置する場合、内部がコンクリートであることからボルト孔用の穿孔作業に多大な手間と時間を要し、施工コストが増大するおそれがある。
【０００６】
このため、既設のＣＦＴ柱と梁による柱梁架構に、耐震補強用のブレース材を後付け施工する場合において、溶接を用いることなく低コストで施工することのできる技術が求められていた。
【０００７】
本発明は、上記に鑑みてなされたものであって、溶接を用いることなく低コストで施工することのできる柱梁架構の補強構造、施工方法および施工装置を提供することを目的とする。
【課題を解決するための手段】
【０００８】
上記した課題を解決し、目的を達成するために、本発明に係る柱梁架構の補強構造は、コンクリートを内部に充填した鋼管からなるＣＦＴ柱と梁による柱梁架構をブレース材で補強した構造であって、柱梁接合部に設けられ、ブレース材が取付けられるブラケット材と、このブラケット材の一部をなし、または、このブラケット材と接合し、ＣＦＴ柱の梁軸方向の外側面に配置される鋼板と、この鋼板とＣＦＴ柱を柱軸に直角な方向に貫通する貫通孔と、この貫通孔に挿通配置され、ＣＦＴ柱と鋼板を固定する固定部材とを備えることを特徴とする。
【０００９】
また、本発明に係る他の柱梁架構の補強構造は、上述した発明において、固定部材は、導入される緊張力によってＣＦＴ柱と鋼板とを梁軸方向に圧着する緊張材からなることを特徴とする。
【００１０】
また、本発明に係る他の柱梁架構の補強構造は、上述した発明において、梁とブラケット材はボルトで接合されることを特徴とする。
【００１１】
また、本発明に係る柱梁架構の補強構造の施工方法は、上述した柱梁架構の補強構造を施工する方法であって、ＣＦＴ柱に固定部材用の貫通孔を形成する際に、ＣＦＴ柱の一方の外側面をなす鋼板を、ＣＦＴ柱の外側から鋼材用ドリルで穿孔するステップと、その後、穿孔した孔からコンクリート用ドリルで内部のコンクリートを柱軸に直角な方向に削孔するステップと、その後、反対側の外側面をなす鋼板を、削孔した孔またはＣＦＴ柱の外側の少なくとも一方から鋼材用ドリルで穿孔するステップとを備えることを特徴とする。
【００１２】
また、本発明に係る他の柱梁架構の補強構造の施工方法は、上述した発明において、反対側の外側面をなす鋼板を穿孔するステップにおいて、コンクリートに削孔された孔の中心位置を案内するための円筒状の中心ガイドが鋼材用ドリルの基部に同軸に取付けられた中心ガイド付きドリルを、コンクリートに削孔した孔に配置するステップと、その後、この中心ガイド付きドリルで反対側の外側面をなす鋼板における孔の中心に対応する位置に小径の孔を穿孔するステップと、その後、ＣＦＴ柱の外側からこの小径の孔を中心に反対側の外側面をなす鋼板を鋼材用ドリルで穿孔するステップを有することを特徴とする。
【００１３】
また、本発明に係る柱梁架構の補強構造の施工装置は、上述した柱梁架構の補強構造の施工方法に用いられる施工装置であって、コンクリートに削孔された孔の中心位置を案内するための円筒状の中心ガイドが鋼材用ドリルの基部に同軸に取付けられた中心ガイド付きドリルからなることを特徴とする。
【発明の効果】
【００１４】
本発明に係る柱梁架構の補強構造によれば、コンクリートを内部に充填した鋼管からなるＣＦＴ柱と梁による柱梁架構をブレース材で補強した構造であって、柱梁接合部に設けられ、ブレース材が取付けられるブラケット材と、このブラケット材の一部をなし、または、このブラケット材と接合し、ＣＦＴ柱の梁軸方向の外側面に配置される鋼板と、この鋼板とＣＦＴ柱を柱軸に直角な方向に貫通する貫通孔と、この貫通孔に挿通配置され、ＣＦＴ柱と鋼板を固定する固定部材とを備えるので、ＣＦＴ柱と梁による柱梁架構をブレース材で補強する場合に、溶接を用いることなく低コストで施工することができるという効果を奏する。
【００１５】
また、本発明に係る他の柱梁架構の補強構造によれば、固定部材は、導入される緊張力によってＣＦＴ柱と鋼板とを梁軸方向に圧着する緊張材からなるので、ＣＦＴ柱と鋼板とを緊張力によって締め付け圧着接合することができるという効果を奏する。
【００１６】
また、本発明に係る他の柱梁架構の補強構造によれば、梁とブラケット材はボルトで接合されるので、梁とブラケット材とを溶接を用いることなく接合することができるという効果を奏する。
【００１７】
また、本発明に係る柱梁架構の補強構造の施工方法によれば、上述した柱梁架構の補強構造を施工する方法であって、ＣＦＴ柱に固定部材用の貫通孔を形成する際に、ＣＦＴ柱の一方の外側面をなす鋼板を、ＣＦＴ柱の外側から鋼材用ドリルで穿孔するステップと、その後、穿孔した孔からコンクリート用ドリルで内部のコンクリートを柱軸に直角な方向に削孔するステップと、その後、反対側の外側面をなす鋼板を、削孔した孔またはＣＦＴ柱の外側の少なくとも一方から鋼材用ドリルで穿孔するステップとを備えるので、外側面の鋼板に穿孔する孔と内部のコンクリートに形成する孔がずれることなく、短時間でＣＦＴ柱に貫通孔を形成することができるという効果を奏する。
【００１８】
また、本発明に係る他の柱梁架構の補強構造の施工方法によれば、反対側の外側面をなす鋼板を穿孔するステップにおいて、コンクリートに削孔された孔の中心位置を案内するための円筒状の中心ガイドが鋼材用ドリルの基部に同軸に取付けられた中心ガイド付きドリルを、コンクリートに削孔した孔に配置するステップと、その後、この中心ガイド付きドリルで反対側の外側面をなす鋼板における孔の中心に対応する位置に小径の孔を穿孔するステップと、その後、ＣＦＴ柱の外側からこの小径の孔を中心に反対側の外側面をなす鋼板を鋼材用ドリルで穿孔するステップを有するので、ＣＦＴ柱に貫通孔を形成する際に、反対側の鋼板に穿孔する孔の軸線方向を、コンクリートに削孔した孔の軸線方向に精度よく合わせることができるという効果を奏する。
【００１９】
また、本発明に係る柱梁架構の補強構造の施工装置によれば、上述した柱梁架構の補強構造の施工方法に用いられる施工装置であって、コンクリートに削孔された孔の中心位置を案内するための円筒状の中心ガイドが鋼材用ドリルの基部に同軸に取付けられた中心ガイド付きドリルからなるので、短時間で貫通孔を精度よく形成することができるという効果を奏する。
【図面の簡単な説明】
【００２０】
【図１】図１は、本発明に係る柱梁架構の補強構造の実施の形態を示す側断面図である。
【図２】図２は、本発明に係る柱梁架構の補強構造の施工方法および施工装置の実施の形態を示す側断面図である。
【図３】図３は、本発明に関する施工試験を示す写真図であり、（１）はコアドリルによるＣＦＴ柱の貫通孔の施工状況、（２）は試験製作した中心ガイド付きドリル、（３）はＣＦＴ柱の内部から小径の孔があけられた鋼板、（４）は反対側の鋼板に対する本孔の施工状況である。
【発明を実施するための形態】
【００２１】
以下に、本発明に係る柱梁架構の補強構造、施工方法および施工装置の実施の形態を図面に基づいて詳細に説明する。なお、この実施の形態によりこの発明が限定されるものではない。
【００２２】
（柱梁架構の補強構造）
まず、本発明に係る柱梁架構の補強構造の実施の形態について説明する。
【００２３】
図１に示すように、本発明に係る柱梁架構の補強構造１０は、既設のＣＦＴ柱１２と既設のＨ型鋼梁１４（梁）による柱梁架構を耐震補強用のブレース材１６で補強した構造である。ＣＦＴ柱１２は、内部にコンクリート１８が充填された角型鋼管柱である。なお、コンクリートの代わりにモルタルを充填することもできる。
【００２４】
補強構造１０は、柱梁接合部２０に設けられ、ブレース材１６が取付けられる鋼製のブラケット材２２と、このブラケット材２２の一部をなし、ＣＦＴ柱１２の梁軸方向Ｘの外側面に配置される鋼板２４と、この鋼板２４とＣＦＴ柱１２を柱軸方向Ｙに直角な方向に貫通する貫通孔２６と、この貫通孔２６に挿通配置され、ＣＦＴ柱１２と鋼板２４を固定するＰＣ鋼棒２８（固定部材）とを備える。貫通孔２６は柱軸方向Ｙに間隔をあけて複数設けられており、ＰＣ鋼棒２８は各貫通孔２６に挿通配置されている。
【００２５】
ブラケット材２２は、補強に際して新規設置される部材である。このブラケット材２２は、四角板状のブラケット本体３０と、上記の鋼板２４と、Ｈ型鋼梁１４の下フランジ３２に当接配置される鋼板３４と、ブレース材１６が接合する鋼板３６と、この鋼板３６とブラケット本体３０とを接合する鋼板３８とを備えている。各鋼板２４、３４、３６、３８はブラケット本体３０にあらかじめ溶接されている。
【００２６】
上記の鋼板２４とＣＦＴ柱１２の外側面をなす鋼板４０との間には、双方間の摩擦力を向上するためのモルタル４２が設けられる。また、Ｈ型鋼梁１４の下フランジ３２と、ブラケット材２２の鋼板３４は複数の高力ボルトまたはボルト４４で接合される。
【００２７】
ＣＦＴ柱１２と鋼板２４を固定するＰＣ鋼棒２８は、導入される緊張力によってＣＦＴ柱１２と鋼板２４とを梁軸方向Ｘに圧着する緊張材である。ＰＣ鋼棒２８は柱軸方向Ｙに間隔をあけて複数設けられている。ＰＣ鋼棒２８の両端にはねじが切られており、それぞれナット４６が螺合している。これらナット４６を互いに接近する方向に回転して締結することでＰＣ鋼棒２８に緊張力が導入されるとともに、ＣＦＴ柱１２と鋼板２４とを緊張力によって締め付け圧着接合することができる。
【００２８】
上記のように構成した補強構造１０によれば、施工に溶接が不要であることから安全性が向上し、施工管理コストの低減を図ることができる。したがって、本実施の形態によれば、ＣＦＴ柱１２とＨ型鋼梁１４による柱梁架構をブレース材１６で耐震補強する場合に、溶接を用いることなく低コストで施工することができる。また、外ダイヤフラムなどの構面外に突出する部材がない補強形式であることから、施工後に建物の使用性を損なうおそれはない。
【００２９】
（柱梁架構の補強構造の施工方法）
次に、本発明に係る柱梁架構の補強構造の施工方法の実施の形態について説明する。
【００３０】
ＣＦＴ柱１２にＰＣ鋼棒２８用の貫通孔２６を形成する際に、コンクリートの削孔技術として知られているダイヤモンドコア抜き技術をそのまま適用すると多大な時間と手間が掛かるおそれがある。特に、手前側の鋼板４０（一方の外側面をなす鋼板）から内部のコンクリート１８まで削孔できても、奥側の鋼板４８（反対側の外側面をなす鋼板）を貫通させるのに多大な時間と手間が掛かるおそれがある。
【００３１】
そこで、本実施の形態に係る柱梁架構の補強構造の施工方法では、手前側の鋼板４０は鋼材用ドリルで穿孔し、内部のコンクリート１８はコアドリルやハンマードリルなどのコンクリート用ドリルで削孔し、奥側の鋼板４８は再度、鋼材用ドリルで穿孔する。このとき、奥側の鋼板４８を手前側から孔あけ施工するのは遠くて困難であるため、反対側から穿孔することが望ましい。
【００３２】
しかし、それではコンクリート１８に形成する孔と、奥側の鋼板４８に形成する孔の中心がうまく合わないおそれがあるので、手前側から後述の中心ガイド付きドリルを使い、奥側の鋼板４８に対してコンクリート１８の孔の中心に対応する位置に小径の仮孔をあける。その後、反対側から、小径の仮孔を中心として奥側の鋼板４８に大径の本孔をあける。
【００３３】
より具体的には、図２に示すように、手前側の鋼板４０からコンクリート１８を削孔した後、この孔５０に中心ガイド付きドリル５２を配置する。この中心ガイド付きドリル５２は、コンクリート１８に削孔された孔５０の中心位置を案内するための円筒状の中心ガイド５４が鋼材用ドリル５６の基部に同軸に取付けられたドリルである。中心ガイド５４は、コンクリート１８に削孔された孔５０の径よりも若干小径の円形断面の部材である。
【００３４】
続いて、この中心ガイド付きドリル５２で、奥側の鋼板４８における孔の中心に対応する位置に、小径の仮孔５８を穿孔する。
【００３５】
次に、ＣＦＴ柱１２の外側から、この小径の仮孔５８を中心にして、奥側の鋼板４８を鋼材用ドリルで穿孔して、この鋼板４８に大径の本孔６０を貫通形成する。これにより、奥側の鋼板４８に穿孔する孔６０の中心軸線方向Ｃを、コンクリート１８に削孔した孔５０の中心軸線方向Ｃに精度よく合わせることができる。
【００３６】
このように施工することで、奥側の鋼板４８に穿孔する孔６０と内部のコンクリート１８に形成する孔５０がずれることなく、短時間でＣＦＴ柱１２に貫通孔２６を形成することができる。この後、形成した貫通孔２６にＰＣ鋼棒２８を挿通配置するとともに、ブラケット材２２、ブレース材１６、ナット４６等を所定の位置に設置する。こうすることで上記の補強構造１０を比較的短時間に施工することができる。
【００３７】
（柱梁架構の補強構造の施工装置）
次に、本発明に係る柱梁架構の補強構造の施工装置の実施の形態について説明する。
【００３８】
本発明に係る柱梁架構の補強構造の施工装置１００は、上述した柱梁架構の補強構造の施工方法に用いられる施工装置である。この施工装置１００は、図２に示したように、コンクリート１８に削孔された孔５０の中心位置を案内するための円筒状の中心ガイド５４が鋼材用ドリル５６の基部に同軸に取付けられた中心ガイド付きドリル５２からなる。上述したように、この施工装置１００によれば、短時間で貫通孔２６を精度よく形成することができる。
【００３９】
（施工試験）
次に、本発明の作用効果を確認するために行った施工試験について説明する。
【００４０】
図３は、本発明に関する施工試験を示す写真図であり、（１）はコアドリルによるＣＦＴ柱の貫通孔の施工状況、（２）は試験製作した中心ガイド付きドリル、（３）はＣＦＴ柱の内部から小径の孔があけられた鋼板、（４）は反対側の鋼板に対する本孔の施工状況である。
【００４１】
図３（１）に示すように、コアドリルではＣＦＴ柱の内部から奥側の鋼板まで貫通させることはできなかった。そこで、図３（２）に示すような中心ガイド付きドリル（上記の中心ガイド付きドリル５２に相当）を製作し、これをＣＦＴ柱内部のコンクリートの孔に挿入配置した。そして、この中心ガイド付きドリルでＣＦＴ柱の奥側の鋼板に小径の仮孔をあけた。このようにすることで、図３（３）に示すように、コンクリートの孔の中心に合わせて奥側の鋼板に小径の仮孔があく。次に、この中心ガイド付きドリルを撤去した後、ＣＦＴ柱の外側から鋼材用ドリルの先を鋼板の小径の仮孔に合わせ、図３（４）に示すように、鋼材用ドリルでこの鋼板に大径の本孔をあける。
【００４２】
このように中心ガイド付きドリルを使用することで、鋼板とコンクリートの孔がずれることなく、短時間でＣＦＴ柱に貫通孔を形成できることを確認できた。
【００４３】
以上説明したように、本発明に係る柱梁架構の補強構造によれば、コンクリートを内部に充填した鋼管からなるＣＦＴ柱と梁による柱梁架構をブレース材で補強した構造であって、柱梁接合部に設けられ、ブレース材が取付けられるブラケット材と、このブラケット材の一部をなし、または、このブラケット材と接合し、ＣＦＴ柱の梁軸方向の外側面に配置される鋼板と、この鋼板とＣＦＴ柱を柱軸に直角な方向に貫通する貫通孔と、この貫通孔に挿通配置され、ＣＦＴ柱と鋼板を固定する固定部材とを備えるので、ＣＦＴ柱と梁による柱梁架構をブレース材で補強する場合に、溶接を用いることなく低コストで施工することができる。
【００４４】
また、本発明に係る他の柱梁架構の補強構造によれば、固定部材は、導入される緊張力によってＣＦＴ柱と鋼板とを梁軸方向に圧着する緊張材からなるので、ＣＦＴ柱と鋼板とを緊張力によって締め付け圧着接合することができる。
【００４５】
また、本発明に係る他の柱梁架構の補強構造によれば、梁とブラケット材はボルトで接合されるので、梁とブラケット材とを溶接を用いることなく接合することができる。
【００４６】
また、本発明に係る柱梁架構の補強構造の施工方法によれば、上述した柱梁架構の補強構造を施工する方法であって、ＣＦＴ柱に固定部材用の貫通孔を形成する際に、ＣＦＴ柱の一方の外側面をなす鋼板を、ＣＦＴ柱の外側から鋼材用ドリルで穿孔するステップと、その後、穿孔した孔からコンクリート用ドリルで内部のコンクリートを柱軸に直角な方向に削孔するステップと、その後、反対側の外側面をなす鋼板を、削孔した孔またはＣＦＴ柱の外側の少なくとも一方から鋼材用ドリルで穿孔するステップとを備えるので、外側面の鋼板に穿孔する孔と内部のコンクリートに形成する孔がずれることなく、短時間でＣＦＴ柱に貫通孔を形成することができる。
【００４７】
また、本発明に係る他の柱梁架構の補強構造の施工方法によれば、反対側の外側面をなす鋼板を穿孔するステップにおいて、コンクリートに削孔された孔の中心位置を案内するための円筒状の中心ガイドが鋼材用ドリルの基部に同軸に取付けられた中心ガイド付きドリルを、コンクリートに削孔した孔に配置するステップと、その後、この中心ガイド付きドリルで反対側の外側面をなす鋼板における孔の中心に対応する位置に小径の孔を穿孔するステップと、その後、ＣＦＴ柱の外側からこの小径の孔を中心に反対側の外側面をなす鋼板を鋼材用ドリルで穿孔するステップを有するので、ＣＦＴ柱に貫通孔を形成する際に、反対側の鋼板に穿孔する孔の軸線方向を、コンクリートに削孔した孔の軸線方向に精度よく合わせることができる。
【００４８】
また、本発明に係る柱梁架構の補強構造の施工装置によれば、上述した柱梁架構の補強構造の施工方法に用いられる施工装置であって、コンクリートに削孔された孔の中心位置を案内するための円筒状の中心ガイドが鋼材用ドリルの基部に同軸に取付けられた中心ガイド付きドリルからなるので、短時間で貫通孔を精度よく形成することができる。
【産業上の利用可能性】
【００４９】
以上のように、本発明に係る柱梁架構の補強構造、施工方法および施工装置は、既設のＣＦＴ柱と梁による柱梁架構をブレース材で補強する場合に有用であり、特に、溶接を用いることなく低コストで施工するのに適している。
【符号の説明】
【００５０】
１０  柱梁架構の補強構造
１２  ＣＦＴ柱
１４  Ｈ型鋼梁（梁）
１６  ブレース材
１８  コンクリート
２０  柱梁接合部
２２  ブラケット材
２４，３４，３６，３８  鋼板
２６  貫通孔
２８  ＰＣ鋼棒（固定部材）
３０  ブラケット本体
３２  下フランジ
４０  鋼板（一方の外側面をなす鋼板）
４２  モルタル
４４  高力ボルトまたはボルト
４６  ナット
４８  鋼板（反対側の外側面をなす鋼板）
５０，６０  孔
５２  中心ガイド付きドリル
５４  中心ガイド
５６  鋼材用ドリル
５８  仮孔
１００  柱梁架構の補強構造の施工装置
Ｘ  梁軸方向
Ｙ  柱軸方向
【図１】
2018135640.tif 000003
【図２】
2018135640.tif 000004
【図３】
2018135640.tif 000005